(57)【要約】【課題】反射鏡を容易に交換することができ、被照射面でのいろいろな光量分布波形の光を照射することができる照射ユニットを提供することを目的とする。【解決手段】ランプ筐体６に収容された直管型の放電ランプ５と、放電ランプ５の放射光を制御する反射鏡１１と、ランプ筐体６及び反射鏡１１を収容するユニットケース２０と、を有し、放電ランプ５の光を照射する照射ユニット１おいて、ランプ筐体６は、ユニットケース２０に取出し自在に収容され、反射鏡１１は、放電ランプ５が固定されたランプ筐体６がユニットケース２０に取り付けられている状態で、ユニットケース２０に着脱自在に収容されている。【選択図】図３
2018092708.tif 000002
【特許請求の範囲】
【請求項１】
ランプ筐体に収容された直管型の放電ランプと、前記放電ランプの放射光を制御する反射鏡と、前記ランプ筐体及び前記反射鏡を収容するユニットケースと、を有し、前記放電ランプの光を照射する照射ユニットにおいて、
前記ランプ筐体は、前記ユニットケースに取出し自在に収容され、
前記反射鏡は、前記放電ランプが固定された前記ランプ筐体が前記ユニットケースに取り付けられている状態で、前記ユニットケースに着脱自在に収容されている
ことを特徴とする照射ユニット。
【請求項２】
前記ユニットケースには、夫々異なる波形の複数の反射鏡と、各反射鏡を保持する保持ブラケットと、からなる複数の反射ユニットが交換可能に着脱されることを特徴とする請求項１記載の照射ユニット。
【請求項３】
前記ユニットケースには、前記ランプ筐体を前記放電ランプの長軸方向の一端側から引き出し可能に保持する第１レール部が設けられ、
前記ランプ筐体には、前記反射鏡を前記ランプ筐体が引き出し可能な前記ユニットケースの一端側から引き出し可能に保持する第２レール部が設けられている
ことを特徴とする請求項１または２に記載の照射ユニット。
【請求項４】
前記ユニットケースには、前記ランプ筐体および前記反射鏡が引き出される長手の一端とは反対の他端から前記放電ランプの長軸方向に沿って突設され、前記ランプ筐体と前記反射鏡とに夫々設けられた位置決めピンが挿入される位置決め部材が設けられていることを特徴とする請求項３に記載の照射ユニット。
【請求項５】
前記放電ランプは、前記ランプ筐体の天面から延びる複数のランプ保持部によって少なくとも長軸方向の両端部が保持され、
前記反射鏡は、前記放電ランプの長軸方向に向かって左右に第１反射鏡と、第２反射鏡とに前記放電ランプの上方で分割され、前記保持ブラケットは、前記第１反射鏡、前記第２反射鏡の夫々を保持しているとともに、前記放電ランプの一端側で前記第１反射鏡と第２反射鏡とを連結しており、前記反射鏡は、前記保持ブラケットと一体に前記ユニットケースの長手の一端から引き出し可能に構成されていることを特徴とする請求項３又は４に記載の照射ユニット。
【請求項６】
前記ランプ筐体、及び、前記保持ブラケットの夫々に、前記第１レール部、前記第２レール部の上を回転移動する車輪体を設けたことを特徴とする請求項３乃至５のいずれかに記載の照射ユニット。
【発明の詳細な説明】
【技術分野】
【０００１】
本発明は、直管型の放電ランプを備えた照射ユニットに関する。
【背景技術】
【０００２】
従来、直管型の放電ランプと反射鏡とを備え、放電ランプの光を反射鏡を用いて制御して所望の照射範囲に配置された被照射物に照射する照射ユニットを備えた照射装置が知られている（例えば特許文献１参照）。これらの照射装置では、放電ランプに印可する電力を調整することで、被照射面におけるピーク強度は変更することができる。ところが、被照射面における光量分布の形状は反射鏡の形状によって決まってしまっていた。そこで、特許文献１の照射装置では、放電ランプと反射鏡との相対的な位置調整を可能とすることで、被照射面での光量分布におけるピーク強度と総積分光量との比率を変更することができるようにしていた。
【先行技術文献】
【特許文献】
【０００３】
【特許文献１】特開２００８−１０１９４７号公報
【発明の概要】
【発明が解決しようとする課題】
【０００４】
しかしながら、反射鏡には、集光型、平行光型、拡散型と、反射光の多種多様な光線形状のものがあるため、放電ランプと反射鏡との相対的な位置調整を行うだけでは、被照射面での所望の光量分布の形状が得られなかった。
【０００５】
本発明は、上述した事情を鑑みてなされたものであり、反射鏡を容易に交換することができ、被照射面でのいろいろな光量分布波形の光を照射することができる照射ユニットを提供することを目的とする。
【課題を解決するための手段】
【０００６】
本発明は、ランプ筐体に収容された直管型の放電ランプと、前記放電ランプの放射光を制御する反射鏡と、前記ランプ筐体及び前記反射鏡を収容するユニットケースと、を有し、前記放電ランプの光を照射する照射ユニットにおいて、前記ランプ筐体は、前記ユニットケースに取出し自在に収容され、前記反射鏡は、前記放電ランプが固定された前記ランプ筐体が前記ユニットケースに取り付けられている状態で、前記ユニットケースに着脱自在に収容されていることを特徴とする。
【０００７】
また、上記照射ユニットにおいて、前記ユニットケースには、夫々異なる波形の複数の反射鏡と、各反射鏡を保持する保持ブラケットと、からなる複数の反射ユニットが交換可能に着脱されても良い。
【０００８】
また、上記照射ユニットにおいて、前記ユニットケースには、前記ランプ筐体を前記放電ランプの長軸方向の一端側から引き出し可能に保持する第１レール部が設けられ、前記ランプ筐体には、前記反射ユニットを、前記ランプ筐体が引き出し可能な前記ユニットケースの一端側から引き出し可能に保持する第２レール部が設けられていても良い。
【０００９】
また、上記照射ユニットにおいて、前記ランプ筐体、及び、前記保持ブラケットの夫々に、前記第１レール部、前記第２レール部の上を回転移動する車輪体を設けても良い。
【００１０】
また、上記照射ユニットにおいて、前記放電ランプは、前記ランプ筐体の天面から延びる複数のランプ保持部によって少なくとも長手の両端部が保持され、前記反射鏡は、前記放電ランプの長軸方向に向かって左右に第１反射鏡と、第２反射鏡とに前記放電ランプの上方で分割され、前記保持ブラケットは、前記第１反射鏡、前記第２反射鏡の夫々を保持しているとともに、前記放電ランプの一端側で前記第１反射鏡と第２反射鏡とを連結しても良い。
【００１１】
また、上記照射ユニットにおいて、前記ユニットケースには、前記ランプ筐体および前記反射ユニットが引き出される長手の一端とは反対の他端から前記放電ランプの長軸方向に沿って突設され、前記ランプ筐体と前記反射ユニットとに夫々設けられた位置決ピンが挿入される位置決部材が設けられていても良い。
【発明の効果】
【００１２】
本発明によれば、放電ランプが固定されたランプ筐体がユニットケースに取り付けられている状態で、反射鏡をユニットケースに着脱することができるため、反射鏡を容易に交換することができ、被照射面でのいろいろな光量分布波形の光を照射することができる照射ユニットを提供する。
【図面の簡単な説明】
【００１３】
【図１】本発明の実施形態に係る照射ユニットの構成を概略的に示す図である。
【図２】集光型の反射鏡を備えた照射ユニットの断面図である。
【図３】反射鏡を取り出した状態の照射ユニットの構成を概略的に示す図である。
【図４】反射鏡を取り出した状態の照射ユニットの断面図である。
【図５】ランプを取り出した状態の照射ユニットの構成を概略的に示す図である。
【図６】ランプを取り出した状態の照射ユニットの断面図である。
【図７】長焦点型の反射鏡を備えた照射ユニットの断面図である。
【図８】平行光型の反射鏡を備えた照射ユニットの断面図である。
【発明を実施するための形態】
【００１４】
以下、図面を参照して本発明の実施形態について説明する。
図１は、本実施形態に係る照射ユニット１の構成を概略的に示す図であり、内部構成が分かるように、内部を透視した側面図である。図２は、図１のＩ―Ｉ断面の構成を概略的に示す図である。
図１、図２に示すように、照射ユニット１は、光源としての放電ランプ５と、放電ランプ５の光を制御して被照射面に照射させる反射ユニット１０と、を備えている。照射ユニット１は、例えば、紙、プラスチックフィルム、金属板等の被照射面に被着した紫外線硬化剤や紫外線硬化塗料に紫外線を照射して硬化する紫外線照射装置に用いられる照射ユニットとして用いることができる。
【００１５】
照射ユニット１は、放電ランプ５と、反射ユニット１０と、放電ランプ５及び反射ユニット１０を収容するユニットケース２０と、を備えている。ユニットケース２０は、無底の箱体であり、底部開口から下方に向けて放電ランプ５の光が放射されるように構成されている。放電ランプ５は、水銀灯やＨＩＤランプなどの所謂直管型ランプであり、ユニットケース２０の長手方向にランプの長軸方向を沿わせて配置されている。放電ランプ５は、有底箱型のランプ筐体６内に収容されて、ランプ筐体６と一体にユニットケース２０に着脱自在に取り付けられている。
【００１６】
放電ランプ５は、少なくとも長手の両端部５Ａ，５Ａがそれぞれ、ランプ筐体６の天面６Ａにから柱状に延びるランプ保持部７によって保持されている。放電ランプ５は、ランプ保持部７によって、ランプ筐体６の天面６Ａから所定距離のところに吊り下げられたような状態で支持されている。ランプ筐体６の底面６Ｂには、放電ランプ５からの光を出射する出射開口８が備えられている。出射開口８は、放電ランプ５の長軸方向に沿って延び、ランプ筐体６の長手に亘って設けられている。また、ランプ筐体６の底面６Ｂは、反射ユニット１０を支持する反射ユニット支持部９（第1レール部）として構成されている。反射ユニット支持部９は、出射開口８の左右の縁に沿って延び、ランプ筐体６の長手に亘ってレール状に設けられている。
【００１７】
反射ユニット１０は、放電ランプ５の放射光を制御する反射鏡１１と、反射鏡１１を保持し、ランプ筐体６の内部に反射鏡１１と一体に収められる保持ブラケット１３と、を備えている。反射鏡１１は、放電ランプ５からランプ管径方向に放射される放射光を反射面１２の反射によって制御する光学ミラーである。また、反射鏡１１は、放電ランプ５が第１焦点に配置され、放電ランプ５の光を第２焦点に位置する被照射面に向けて反射するように構成された集光光学系であり、放電ランプ５の長軸方向に沿って延在する楕円面鏡である。
【００１８】
反射鏡１１は、放電ランプ５の長軸方向に沿って、放電ランプ５の左右の第１反射鏡１１Ａと、第２反射鏡１１Ｂとに分割されている。第１反射鏡１１Ａ、及び、第２反射鏡１１Ｂの上端は、放電ランプ５とランプ筐体６の天面６Ａとの間の空間に延びている。第１反射鏡１１Ａと第２反射鏡１１Ｂとの間には、放電ランプ５の上方に、隙間Ｇが設けられている。隙間Ｇは、放電ランプを保持するランプ保持部７の幅Ｗよりも大きく形成されている。第１反射鏡１１Ａと、第２反射鏡１１Ｂとは、保持ブラケット１３によって、それぞれ上下の端部が保持されている。
【００１９】
また、反射鏡１１は、放電ランプ５の長軸方向に沿って複数に分割されている構成であっても良い。保持ブラケット１３は、放電ランプ５の長軸方向に沿って所定の間隔で複数配置され、反射鏡１１を長手の複数位置で保持している。反射鏡１１は、放電ランプ５の長軸方向に沿って複数に分割されている構成であっても良く、この場合には、複数の保持ブラケット１３の夫々が、分割された個々の反射鏡構成部を保持しているのが望ましい。反射鏡１１の長手方向に並ぶ複数の保持ブラケット１３は、反射鏡１１の長手方向に沿って延びる連結部材１４で互いに連結されている。
【００２０】
複数の保持ブラケット１３の夫々には、第１回転支持部１５（車輪体）が設けられている。第１回転支持部１５は、車輪状に形成され、保持ブラケット１３の下端部（出射開口側端部）に設けられている。第１回転支持部１５は、保持ブラケット１３に対して回転可能に軸支されている。反射ユニット１０は、ランプ筐体６の底面６Ｂの上に第１回転支持部１５を載置することで、ランプ筐体６の内部に収容される。
【００２１】
図３は、反射ユニット１０を、ユニットケース２０から引き出している状態を模式的に示す側面透視図である。
図３に示すように、ユニットケース２０の長手の一端２０Ａは、ユニットケース２０の内外に開口している。そして、ユニットケース２０の一端２０Ａには、開口を塞ぐ蓋体２２が設けられている。蓋体２２は、一端２０Ａの上縁に設けられたヒンジ２１によって上下に開閉自在に取り付けられている。
【００２２】
ランプ筐体６は長手の一端６Ｃがユニットケース２０内に開口しており、蓋体２２を開いた際には、ユニットケース２０の一端２０Ａの開口から、ユニットケース２０の外部とランプ筐体６の内部とが連通するように構成されている。上述したように、反射ユニット１０は、車輪状に形成され、ランプ筐体６の反射ユニット支持部９の上を回転移動可能に軸支された第１回転支持部１５によってランプ筐体６に支持されている。また、上述したように、反射ユニット１０は、放電ランプ５の上方であって、第１反射鏡１１Ａと第２反射鏡１１Ｂとの間に、ランプ保持部７の幅Ｗよりも広い隙間Ｇを備えている。
【００２３】
これらの構成によれば、反射ユニット１０は、第１回転支持部１５を反射ユニット支持部９の上を回転移動させながら、ユニットケース２０の一端２０Ａの開口から長手方向に引き出される。この際に、ランプ保持部７は、第１反射鏡１１Ａと第２反射鏡１１Ｂとの間の隙間Ｇを通る。これにより、放電ランプ５のランプ保持部７が妨げになることなく、反射ユニット１０をユニットケース２０の一端２０Ａの開口から簡単に引き出すことができる。
このように、反射ユニット１０は、蓋体２２を開いたユニットケース２０の一端２０Ａの開口から簡単に引き出すことができるように構成されている。なお、反射ユニット１０の一端１０Ａには、反射ユニット１０を引き出す際に用いられるハンドル１７が設けられていても良い。
【００２４】
また、反射ユニット１０には、反射ユニット１０をユニットケース２０内に挿入する際に先端側となる他端１０Ｂに、第１当接ピン１６が設けられている。第１当接ピン１６は、放電ランプ５の長軸方向に沿って、反射ユニット１０の他端１０Ｂから前方に突設されている。第１当接ピン１６は、反射ユニット１０をユニットケース２０内に挿入する際に、放電ランプ５やランプ保持部７と干渉することがなく、さらに、照射ユニット１の設置状態において、放電ランプ５の放射光に影響しない適宜の位置に設けられている。第１当接ピン１６は、例えば、保持ブラケット１３の一つに突設されている構成とすることができる。
【００２５】
ユニットケース２０の内部には、反射ユニット１０の長手方向の位置決めを行う第１位置決部材２３が設けられている。第１位置決部材２３は、ユニットケース２０の他端２０Ｂから、放電ランプ５の長軸方向に沿ってユニットケース２０の内部に突設されている構成であっても良い。第１位置決部材２３と、ユニットケース２０内に挿入される反射ユニット１０の第１当接ピン１６とは、互いに対応する位置に設けられている。また、第１位置決部材２３は、ユニットケース２０の他端２０Ｂから、ランプ筐体６の他端６Ｄを貫通して、ランプ筐体６の内部に延びている。また、第１位置決部材２３は、ランプ筐体６の内部に延びる先端に、第１当接ピン１６の先端部１６Ａが挿入される挿入溝２３Ａを有している。挿入溝２３Ａは、先細りする第１当接ピン１６の先端部１６Ａに対応する凹形状に形成されている。
【００２６】
ユニットケース２０の内部に、反射ユニット１０を挿入する際には、第１当接ピン１６の先端部１６Ａが第１位置決部材２３の挿入溝２３Ａに挿入されて止まるまで挿入させる。これによって、反射ユニット１０をユニットケース２０の内部に挿入する際に、反射ユニット１０の、放電ランプ５の長軸方向に対する位置決めを簡単に行うことができる。
【００２７】
図４は、反射ユニット１０を取り外した照射ユニット１の断面を示す図である。図４に示すように、ユニットケース２０の内部には、ユニットケース２０の短手の両内側面２０Ｃ，２０Ｃから略直角に突設されたランプ筐体支持部２４Ａ（第２レール部）が設けられている。ランプ筐体支持部２４Ａは、略Ｌ字状に折り曲げられた板状部材２４から成る。板状部材２４は、ランプ筐体支持部２４Ａが内側面２０Ｃに略垂直にユニットケース２０の内部に突出するように、両内側面２０Ｃ，２０Ｃに溶接等の接合方法で固定されている。ランプ筐体支持部２４Ａは、ユニットケース２０の長手に亘ってレール状に設けられている。ランプ筐体６は、一対のランプ筐体支持部２４Ａの間に配置され、上面６Ｆとユニットケース２０の天面２０Ｄとの間に所定の隙間を有して、ユニットケース２０内に収められている。
【００２８】
ランプ筐体６の短手の両外側面６Ｅ，６Ｅには、車輪状に形成された第２回転支持部２５が設けられている。第２回転支持部２５は、ランプ筐体６の外側面６Ｅ，６Ｅに回転可能に軸支されている。また、第２回転支持部２５は、ランプ筐体６の長手方向に沿って所定間隔で複数設けられている。ランプ筐体６は、これらの第２回転支持部２５が一対のランプ筐体支持部２４Ａの上に載置されることで、ユニットケース２０に支持される。
【００２９】
図５は、ランプ筐体６を、ユニットケース２０から引き出している状態を模式的に示す側面透視図である。ランプ筐体６は、ランプ保持部７によって放電ランプ５を内部に保持した状態で、放電ランプ５と一体にユニットケース２０に着脱自在に収容されている。ランプ筐体６は、第２回転支持部２５をランプ筐体支持部２４Ａの上を回転移動させながら、ユニットケース２０の一端２０Ａの開口から長手方向に、簡単に引き出すことができるように構成されている。
【００３０】
また、ランプ筐体６には、ランプ筐体６をユニットケース２０内に挿入する際に先端側となる他端６Ｄに、第２当接ピン２６が設けられている。第２当接ピン２６は、放電ランプ５の長軸方向に沿って、ランプ筐体６の他端６Ｄから前方に突設されている。
ユニットケース２０の内部には、他端２０Ｂに、ランプ筐体６の長手方向の位置決めを行う第２位置決部材２７が設けられている。第２位置決部材２７は、放電ランプ５の長軸方向に沿ってユニットケース２０の他端２０Ｂからユニットケース２０の内部に突設されている。第２位置決部材２７は、第２当接ピン２６の先細り形状に形成された先端部２６Ａが挿入される挿入溝２７Ａを有している。第２位置決部材２７と、ユニットケース２０内に挿入されるランプ筐体６の第２当接ピン２６とは、互いに対応する位置に設けられている。
【００３１】
ユニットケース２０の内部に、ランプ筐体６を挿入する際には、第２当接ピン２６の先端部２６Ａが第２位置決部材２７の挿入溝２７Ａに挿入されて止まるまで挿入させる。これによって、ランプ筐体６をユニットケース２０の内部に挿入する際に、ランプ筐体６の長手方向の位置決めを簡単に行うことができる。
【００３２】
図６は、ランプ筐体６及び反射ユニット１０を取り外した照射ユニット１の断面を示す図である。上述したように、反射ユニット１０及びランプ筐体６は、ユニットケース２０の一端２０Ａの開口から長手方向に、簡単に引き出すことができ、また、この一端２０Ａの開口から簡単にランプ筐体６及び反射ユニット１０をユニットケース２０内に収めることができる。
【００３３】
図７は、長焦点型の反射鏡（楕円面鏡）１１１を備えた照射ユニット１を示し、図８は、平行光型の反射鏡（放物面鏡）１２１を備えた照射ユニット１を示す断面図である。
被照射対象に応じて、異なる波形特性を有する反射鏡に交換したい場合には、上述したように、反射ユニット１０をユニットケース２０の一端２０Ａの開口から引き出す。なお、本実施形態における反射鏡の波形特性とは、被照射面での反射光の光量分布の波形の特性のことである。そして、任意の波形特性を有する反射鏡、例えば長焦点型の反射鏡１１１を備えた反射ユニット１１０や、平行光型の反射鏡１２１を備えた反射ユニット１２０を、ユニットケース２０の一端２０Ａの開口からユニットケース２０内に挿入して収容する。なお、図示は省略するが、集光型や平行光型の反射鏡を備えた反射ユニットの他に、拡散反射板を用いた反射ユニットを備えた構成であっても良い。
【００３４】
このように、照射ユニット１は、反射ユニット１０を簡単に交換できる構成であるため、反射ユニット１０を交換することにより、放電ランプ５の放射光を、いろいろな波形の光となるように制御して照射することができる。また、放電ランプ５も、ランプ筐体６と一体に、簡単にユニットケース２０の一端２０Ａの開口から引き出すことができる。これにより、放電ランプ５の交換を容易に行うことができる。
なお、各反射ユニット１０，１１０，１２０は、反射鏡１１，１１１，１２１がランプ筐体６の所定位置に取り付けられた放電ランプ５に対して予め適宜に位置決めされて固定されている。そして、反射ユニット１０，１１０，１２０をユニットケース２０内に取り付けるだけで、反射鏡１１，１１１，１２１が放電ランプ５に対して位置決めされるように構成されている。例えば、反射鏡１１，１１１のように、集光型の反射鏡においては、反射ユニット１０，１１０は、ユニットケース２０内に当接ピン１６によって位置決めして取り付けるだけで、第１焦点位置に放電ランプ５が配置されるように構成されている。
【００３５】
以上説明したように、本実施形態によれば、次のような効果を奏する。
【００３６】
すなわち、本実施形態に係る照射ユニット１は、ランプ筐体６に収容された直管型の放電ランプ５と、放電ランプ５の放射光を制御する反射鏡１１と、ランプ筐体６及び反射鏡１１を収容するユニットケース２０と、を有し、放電ランプ５の光を照射する照射ユニット１おいて、ランプ筐体６は、ユニットケース２０に取出し自在に収容され、反射鏡１１は、放電ランプ５が固定されたランプ筐体６がユニットケース２０に取り付けられている状態で、ユニットケース２０に着脱自在に収容されている。
【００３７】
これらの構成によれば、ユニットケース２０からランプ５が固定されたランプ筐体６を取り外すことなく、反射鏡１１をユニットケース２０から取り外して交換することができる。これにより、放電ランプ５からの光を、例えば集光型の光線形状の光となるように制御する反射鏡から、拡散光型や平行光型の光線形状の光となるように制御する反射鏡へ交換したり、短焦点型の光線形状の光となるように制御する反射鏡から長焦点型の光線形状の光となるように制御する反射鏡へ交換したりを簡単に行うことができる。よって、反射鏡を交換することで、放電ランプ５からの光をいろいろな光量分布波形の光となるように制御して被照射面を照射することができる照射ユニットを提供することができる。
【００３８】
また本実施形態では、ユニットケース２０には、夫々異なる波形の複数の反射鏡１１，１１１，１２１と、各反射鏡１１，１１１，１２１を保持する保持ブラケット１３と、からなる複数の反射ユニット１０，１１０，１２０が交換可能に着脱される。
これにより、反射鏡１１，１１１，１２１を保持ブラケット１３と一体に簡単にユニットケース２０から着脱して、他の反射鏡に交換することができ、いろいろな波形の光を照射することができる照射ユニットを提供することができる。
【００３９】
また本実施形態では、ユニットケース２０には、ランプ筐体６を放電ランプ５の長軸方向の一端側から引き出し可能に保持するレール状のランプ筐体支持部２４Ａが設けられ、ランプ筐体６には、反射鏡１１をランプ筐体６が引き出し可能なユニットケースの一端２０Ａ側から引き出し可能に保持するレール状の反射ユニット支持部９が設けられている。
この構成によれば、ランプ筐体６、及び、反射鏡１１は、夫々レール状のランプ筐体支持部２４Ａ、反射ユニット支持部９に沿って引き出すことで簡単にユニットケース２０の一端２０Ａ側から引き出すことができる。よって、ランプ筐体６、及び、反射鏡１１，１１１，１２１を簡単にユニットケース２０から引き出して、放電ランプ５の交換や、反射ユニット１０，１１０，１２０の交換を行うことができる。
【００４０】
また本実施形態では、ランプ筐体、及び、保持ブラケットの夫々に、ランプ筐体支持部２４Ａ、反射ユニット支持部９の上を回転移動する車輪状の回転支持部１５，２５を設けた。
この構成によれば、車輪状の回転支持部１５，２５をそれぞれ、ランプ筐体支持部２４Ａ、反射ユニット支持部９の上を回転移動させることで、簡単にランプ筐体６、及び、反射ユニット１０，１１０，１２０をユニットケース２０から引き出すことができる。よって、放電ランプ５や、反射鏡１１，１１１，１２１を交換する際の作業性を向上することができる。
【００４１】
また本実施形態では、放電ランプ５は、ランプ筐体６の天面６Ａから延びる複数のランプ保持部７によって少なくとも長手の両端部５Ａ，５Ｂ部が保持され、反射鏡１１，１１１，１２１は、放電ランプ５の長軸方向に向かって左右に第１反射鏡１１Ａと、第２反射鏡１１Ｂとに放電ランプ５の上方で分割され、保持ブラケット１３は、第１反射鏡１１Ａ、第２反射鏡１１Ｂの夫々を保持しているとともに、ユニットケース２０の一端２０Ａ側で第１反射鏡１１Ａと第２反射鏡１１Ｂとを連結している。
【００４２】
この構成によれば、反射ユニット１０を、ユニットケース２０の一端２０Ａの開口から長手方向に引き出す際には、ランプ保持部７は、第１反射鏡１１Ａと第２反射鏡１１Ｂとの間の隙間Ｇを通る。これにより、放電ランプ５のランプ保持部７が妨げになることなく、反射ユニット１０をユニットケース２０の一端２０Ａの開口から簡単に引き出すことができる。よって、ランプ筐体６をユニットケース２０内に収めた状態のまま、反射ユニット１０だけを交換することができ、反射鏡を交換することで、いろいろな波形の光を照射することができる照射ユニットを提供することができる。
【００４３】
また本実施形態では、ユニットケース２０には、ランプ筐体６および反射ユニット１０が引き出される長手の一端２０Ａとは反対の他端２０Ｂから放電ランプ５の長軸方向に沿って突設され、ランプ筐体６と反射ユニット１０とに夫々設けられた当接ピン１６，２６が挿入される位置決部材２３，２７が設けられている。
この構成によれば、ランプ筐体６および反射ユニット１０をユニットケース２０に挿入する際には、当接ピン１６，２６が位置決部材２３，２７に当接するまでランプ筐体６および反射ユニット１０を押し込むことで、ランプ筐体６および反射ユニット１０の位置決めを簡単に行うことができる。
【００４４】
なお、上述した実施形態は、あくまでも本発明の一態様を例示したものであって、本発明の趣旨を逸脱しない範囲において任意に変形、及び応用が可能である。例えば上述した実施形態では、照射ユニットの一例として、紫外線を照射する放電ランプを備えた構成を例示したが、本発明の照射ユニットが照射する光の波長は、例えば可視光域等、他の波長であってもよい。
【符号の説明】
【００４５】
１  照射ユニット
５  放電ランプ
６  ランプ筐体
７  ランプ保持部
９  反射ユニット支持部（第１レール部）
１０、１１０、１２０  反射ユニット
１１、１１１、１２１  反射鏡
１１Ａ  第１反射鏡
１１Ｂ  第２反射鏡
１３  保持ブラケット
１５  第１回転支持部（回転支持部）
１６  当接ピン（位置決ピン）
２０  ユニットケース
２０Ａ  一端
２０Ｂ  他端
２３  第１位置決部材（位置決部材）
２４Ａ  ランプ筐体支持部（第２レール部）
２５  第２回転支持部（回転支持部）
２６  当接ピン（位置決ピン）
２７  第２位置決部材（位置決部材）
Ｇ  隙間
Ｗ  幅
【図１】
2018092708.tif 000003
【図２】
2018092708.tif 000004
【図３】
2018092708.tif 000005
【図４】
2018092708.tif 000006
【図５】
2018092708.tif 000007
【図６】
2018092708.tif 000008
【図７】
2018092708.tif 000009
【図８】
2018092708.tif 000010